(57)【特許請求の範囲】
【請求項１】
メッセージ通信システムであって、
メッセージ通信網と、
前記メッセージ通信網内のユーザエージェントとを有し、
前記ユーザエージェントは、複数のメッセージと、対応するメッセージコードとを記録するものであり、前記メッセージ通信システムは更に、
アップリンクとダウンリンクとを介してメッセージ通信網と通信する双方向ワイアレスメッセージ通信装置を有し、
前記双方向ワイアレスメッセージ通信装置は、前記ユーザエージェントに記録された前記メッセージと前記コードと同一である、複数のメッセージと対応するメッセージコードとを含み、
前記双方向ワイアレスメッセージ通信装置は、前記メッセージコードに対応するメッセージに包含するか排除するかを前記双方向メッセージ通信装置の利用者が選択することができる任意要素を有するメッセージコードを発生し、
前記メッセージコードに対応する前記メッセージは、文字テキストと、強調する文字テキストの一部を明確にするリッチテキスト属性とを有し、
前記メッセージコードに対応する前記メッセージは、前記任意要素に対応するコード化情報と制御情報とを有し、
前記双方向ワイアレスメッセージ通信装置は、前記任意要素を有する前記メッセージコードを前記アップリンク上の前記ユーザエージェントへ送信し、
前記ユーザエージェントは、前記双方向ワイアレスメッセージ通信装置から前記メッセージコードを受信し、そして
前記メッセージコードの受信に応動して、前記ユーザエージェントは、前記メッセージコードに対応する前記メッセージを複数の宛先アドレスへ転送するものであり、前記メッセージ通信システムはさらに、
前記メッセージ通信網へ結合されたトランザクションサーバを有し、前記トランザクションサーバは、前記双方向メッセージ通信装置から前記メッセージ通信網を介してメッセージ受信者へ送信されるメッセージの各々をトラッキングするためにトランザクションをオープンし、前記トランザクションと関連するサービスが完了した後は、前記メッセージと前記メッセージに対する応答の更なる配達を妨げるために前記トランザクションをクローズするものであり、前記メッセージ通信システムは更に、
前記オープンと前記クローズのいずれか１つの状態に前記トランザクションサーバを維持する、前記トランザクションサーバ内の会話管理装置と、
前記会話管理装置と通信し、前記トランザクションと関連するメッセージ受信者の状態をトラッキングする、前記トランザクションサーバ内のトランザクションマネージャとを有し、
前記トランザクションマネージャは、前記会話管理装置と通信して、前記トランザクションマネージャがトランザクションをクローズすべきであると決定した後に、トランザクションをクローズし、これにより、前記複数の宛先アドレスの１つ以上の宛先アドレスからの応答を制限することを特徴とするメッセージ通信システム。
【請求項２】
請求項１に記載のメッセージ通信システムにおいて、前記メッセージは、動的にカスタマイズすることができる予め定義された変数を含むことを特徴とするメッセージ通信システム。
【請求項３】
請求項１に記載のメッセージ通信システムにおいて、前記任意要素は、受信者がカスタマイズすることができる組み込み応答を含むことを特徴とするメッセージ通信システム。
【請求項４】
請求項１に記載のメッセージ通信システムにおいて、前記制御情報は、少なくとも１つの制御タグを含むことを特徴とするメッセージ通信システム。
【請求項５】
メッセージ通信方法であって、
アップリンクとダウンリンクとを介してワイアレスメッセージ通信網へ結合された双方向ワイアレスメッセージ通信装置に、複数のメッセージと対応するメッセージ転送コードとを記録する段階と、
前記双方向ワイアレスメッセージ通信装置に記録された前記メッセージと前記コードと同一である、複数のメッセージと対応するメッセージ転送コードとを、前記ワイアレスメッセージ通信網内のユーザエージェントに記録する段階とを有し、
前記メッセージ転送コードの各々は、対応するメッセージの文字内容と、前記対応するメッセージの文字内容に適用すべきカスタマイズを特定する修正子を表し、
前記文字内容は、前記メッセージに包含するか排除するかを選択することができる少なくとも１つの任意要素を含んでおり、前記メッセージ通信方法は更に、
意図する受信者に対するメッセージのためのメッセージ転送コードを生成する段階と、
前記メッセージ転送コードを、前記意図する受信者へ配達する前記アップリンクを介して前記ワイアレスメッセージ通信網へ転送する段階と、
前記ワイアレスメッセージ通信網の前記ユーザエージェントによって、前記メッセージ転送コードを受信する段階とを有し、
前記ユーザエージェントは、前記受信したメッセージ転送コードに対応する前記メッセージに適用すべき前記任意要素に対応するコード化情報と制御情報とを記録するものであり、前記メッセージ通信方法は更に、
前記ユーザエージェントが前記メッセージ転送コードを受信した後、前記メッセージ転送コードに対応する前記メッセージを、前記意図する受信者に対する前記複数の宛先アドレスへ転送する段階と、
前記複数の宛先アドレスのうちの１つ以上の宛先アドレスからの応答を制限する段階とを有することを特徴とするメッセージ通信方法。
【請求項６】
請求項５に記載のメッセージ通信方法において、前記文字内容は文字テキストを含み、前記修正子は、強調する前記文字テキストの一部を明確にするリッチテキスト属性を含むことを特徴とするメッセージ通信方法。
【請求項７】
請求項５に記載のメッセージ通信方法において、前記文字内容は、動的にカスタマイズすることができる予め定義された変数を含むことを特徴とするメッセージ通信方法。
【請求項８】
請求項５に記載のメッセージ通信方法において、前記任意要素は、選択することが可能な選択子のリストを含むことを特徴とするメッセージ通信方法。
【請求項９】
請求項５に記載のメッセージ通信方法において、前記任意要素は、前記意図する受信者がカスタマイズすることができる組み込み応答を含むことを特徴とするメッセージ通信方法。
【請求項１０】
メッセージ通信システムであって、
複数のメッセージと、対応するメッセージ転送コードとを記録する、アップリンクとダウンリンクとを介してワイアレスメッセージ通信網へ結合された双方向ワイアレスメッセージ通信装置と、
前記双方向ワイアレスメッセージ通信装置に記録された前記メッセージと前記コードと同一である、複数のメッセージと、対応するメッセージ転送コードとを記録する、前記ワイアレスメッセージ通信網内のユーザエージェントとを有し、前記メッセージ転送コードの各々は、対応するメッセージの文字内容と、前記対応するメッセージの文字内容に適用すべきカスタマイズを特定する修正子を表し、そして
前記文字内容は、前記メッセージに包含するか排除するかを選択することができる少なくとも１つの任意要素を含んでおり、前記メッセージ通信方法は更に、
意図する受信者へ配達する前記アップリンクを介して前記ワイアレスメッセージ通信網へ転送するメッセージに対するメッセージ転送コードを生成する生成手段と、
前記ワイアレスメッセージ通信網の前記ユーザエージェントが前記メッセージ転送コードを受信する受信手段とを有し、前記ユーザエージェントは、前記メッセージ転送コードをフル・メッセージ・テキストに展開するものであり、さらに、
前記受信したメッセージ転送コードに対応する前記メッセージに適用すべき前記任意要素に対応するコード化情報と制御情報とを記録する記録手段と、
前記ユーザエージェントが前記メッセージ転送コードを受信した後、前記メッセージ転送コードに対応する前記フル・メッセージ・テキストを、前記意図する受信者に対する複数の宛先アドレスへ転送する手段とを有することを特徴とするメッセージ通信システム。
【発明の詳細な説明】
【０００１】
【発明の属する技術分野】
本発明は、柔軟なメッセージ通信能力を有する双方向ワイヤレスメッセージ通信システムに関する。
【０００２】
【従来の技術】
ワイヤレス・ページングのようなワイヤレス・メッセージ通信は広く行われている民生用ワイヤレス通信サービスであり、新たな狭帯域なパーソナル通信サービス（Personal Communication Service；ＰＣＳ）周波数が利用可能なために、発展することが見込まれている。ワイヤレスでの通信及びメッセージ通信は多岐に渡る様々なタイプのサービスに対する基礎を供する。広く行われているサービスの１つに単方向ページングが有り、このサービスは現在極めて旨くいっている。そのサービスの普及は次に示す多くの数のファクタ、即ち、
（１） ページャ装置を携帯可能にする、その小形状ファクタ
（２） 該ページング・サービスの低コスト性
（３） ページャ装置の保守容易性
（４） メッセージ送信者及びメッセージ受信者の双方に対する使用容易性によってもたらされている。
【０００３】
しかし、単方向ページングは応答能力を持っていない。単方向ページング・サービスの加入者は受信されるどのメッセージにも応答するために他の方法に依存しなければならない。例えば、単方向ページング・サービスからページ信号を受信した後、加入者が上記メッセージに応答するために電話機を捜し、電話を掛けなければならないことが度々有る。最近、単方向ページングの利点、即ち、ページング装置が小型であること、低コストサービスのコストが低いこと、保守が容易であること及び使用が容易であることを保っている双方向ページング・システムを設計することが提案されている。これらの双方向ページング・システムは戻りチャネルを包含するが、しかしそれらは単に定型の応答及び限定された応答のために使用されるものである。
【０００４】
米国に本出願人によって出願された、「ユーザエージェントを有する双方向ワイヤレス・メッセージ通信システム（Two-Way Wireless Messaging System having User Agent）」、「双方向ワイヤレス・メッセージ通信システム（Two-Way Wireless Messaging System）」なる表題の米国特許出願第０８／６８６０８０号及び第０８／６８６０７４号（共に１９９６年７月２４日出願）では、上記 従来技術によるワイヤレス・メッセージ通信システムの欠点が、メッセージ通信網と動的なメッセージ構成要素を有するメッセージを創出し、上記メッセージ通信網との間での該メッセージの受信及び応答を行う双方向ワイヤレス・メッセージ通信装置との使用により克服される。ユーザが更なる配信をしようと決めた（またはする必要が生じた）ある時点において、トランザクションをオープンしたり、クローズしたりできることは好ましい。
【０００５】
【発明が解決しようとする課題】
本発明は、メッセージ通信網と、及びこのメッセージ通信網とメッセージをやりとりし、動的メッセージ成分を有するメッセージを生成、受信、応答する双方向メッセージ通信装置とを有する双方向ワイヤレスメッセージ通信システムにおいて、メッセージの配信及び展開に対する卓越した制御を可能にし、既存のワイヤレス・ページング・システムの能力限界の問題を解決することを目的とする。
【０００６】
【課題を解決するための手段】
本発明による双方向ワイアレスメッセージ通信システム（１０）は、様々なメッセージ要素を加入者の仕様に合わせる柔軟なメッセージ処理が可能となる。これらのカスタマイズには、強調すべき文字テキストの一部を明確にするリッチテキスト属性と、選択的要素と、ユーザが規定する選択的要素と、予めの選択と、その変形例がある。本発明の一側面においては、双方向ワイアレスメッセージ通信装置は、普通の文字テキストを有するメッセージを発信し、受信し、応答する。メッセージは強調すべき文字テキストの一部を明確にするリッチテキスト属性を有する。このリッチテキスト属性は、文字テキストの一部を強調する属性を含む。
【０００７】
本発明の他の側面においては、双方向メッセージ通信装置は、メッセージ通信装置のユーザがメッセージの一部を包含したり排除したりすることのできる選択的要素を有するメッセージを発信し、受信し、応答する。さらにユーザの規定する選択的要素により双方向メッセージ通信システム（１０）の加入者（４０）は、選択が行われるべきアイテムのリストを指定できる。同時にまたメッセージは、変形例を有する所定の選択的要素でもってカスタマイズすることができる。
【０００８】
ユーザエージェント内に登録されるメッセージは符号化され、双方向メッセージ通信装置から受信したメッセージ転送コードに応答する制御情報を有する。このメッセージは、ユーザエージェント内で少なくとも１つの制御タグでもって符号化され制御が行われるメッセージの一部の始点と終点を規定する一対の制御タグでもって符号化される。双方向メッセージ通信装置（１１）から転送される発信メッセージコードは、符号化転送コードを含む。この符号化転送コードは、通常メッセージ番号と、メッセージに対し適用されるカスタマイズを指定する修正子（modifier）とを有する。
【０００９】
上述の開示はまた、公衆交換電話網或いは同様な通信網で使用可能な双方向ワイヤレス・メッセージ通信システムを考察している。従来のワイヤレスページングシステムの欠点は、本発明によって複数のユーザ・エージェントおよびトランザクションサーバ、配布サーバ、バッチサーバのような他のインテリジェントサーバを有するワイヤレスメッセージ通信網においてメッセージを通信することによって解決できる。
【００１０】
本発明の一態様によれば、ワイヤレス メッセージ通信装置１１は第１通信チャネル (アップリンク)に沿って新たなメッセージの創出または以前に受信されたメッセージに対する応答を行い、且つ、第２通信チャネル (ダウンリンク) に沿ってメッセージの受信を行うことができる。そのようなメッセージは各々が所定の様式でコード化され、各メッセージはとりわけ上記ワイヤレス メッセージ通信装置とユーザ・エージェントとの双方で局所的に蓄積されているメッセージを一意に識別するメッセージ番号、そのメッセージに適用されるべきカストマイズを表す修飾子及び個別設定されたアドレス・エイリアス(alias)を包含する。
【００１１】
双方向メッセージ通信網１４内のユーザエージェントは、双方向メッセージ通信システムの加入者（４０）に対応して、とりわけ、複数のメッセージ及び宛先アドレスを蓄積する。ユーザエージェントがその関連加入者からのコード化メッセージを受信すると、該ユーザエージェントはそのコードに従って蓄積されたメッセージ及び宛先アドレスから選択することによってそのメッセージを所望のフル・メッセージ及び宛先に組み立て直す。
【００１２】
送信することが可能なメッセージは極めて高い柔軟性が有る。内蔵構成要素の外に、上記メッセージは組み込み応答、選択肢、前以って定義された変数(pre-defined variable)等のような動的な構成要素を包含することができる。一例として、株取引きへの応用を検討する。或る加入者（４０）は、彼または彼女が興味を持つ株が特定の値に達したときに双方向メッセージ通信を介して知らされる。上記通知メッセージは購入または売却する選択肢を持つ応答、及び株数と株価とを入力するための前以って定義された変数を組み込むことができる。
【００１３】
動的な構成要素はメッセージの送信者及び受取人によるメッセージのカストマイズ（任意設定）を可能にし、その結果本システムの実際的適用範囲を大幅に増大している。動的な構成要素の特定の意味がメッセージ修飾子中でコード化され、上記ユーザエージェントによって再生され且つ適用される。コード化メッセージは対応するフルテキスト・メッセージより遙かに短く、その結果ワイヤレス通信環境内で縮小帯域の使用を可能にする。ユーザエージェントと共に、コード化メッセージを使用することが、アップリンク方向とダウンリンク方向の帯域幅が非対称であるか、または端末装置が処理能力やメモリ記憶域或いはバッテリー容量によって制約を受けている通信状況に特に適している。本発明の双方向メッセージ通信システムはまた、マルチキャスティングをサポートすることも可能である。メッセージは、複数応答を行うために複数の宛先へ転送することが可能である。コード化メッセージに包含されているアドレス・エイリアスはシングル・アドレスまたはグループ・アドレス或いはそれら２つの何らかの組み合わせに対応することができる。マルチキャストに関しては、メッセージの送信に必要なアップリンク・メッセージ及びダウンリンク・メッセージの数が最小化される。
【００１４】
本発明の他の態様によれば、本システムはトランザクションについての照会を追尾し、応答することができる。トランザクションは一人のメッセージ送信者と一人または複数のメッセージ受取人との間の単一或いは一連の要求-応答の対話である。トランザクションは、選択的応答が望まれ通信シナリオに対して最も有用である。例えば、トランザクションは、或る制限時間を過ぎて到達する応答は必要ではなく、本システムによって棄却されるべきであることを特定できる。マルチキャストと組み合わせられると、トランザクションは応答の所望の意味規則文を特定することができる。例えば、ＡＬＬ意味規則文（ALL semantics）を持つトランザクションが全受取人からの応答が望まれていることを特定し、他方、ＯＲ意味規則文（OR semantics）を持つトランザクションは受取人のうちの誰かからの応答が上記トランザクションをクローズするようになることを特定する。一旦トランザクションがクローズされると、余分の応答が本システムによって棄却されることとなる。
【００１５】
本発明の他の態様によれば、システム機能性が一纏まりのユーザエージェントの間及び一纏まりのインテリジェント・サーバの間で分配される。分配された上記特質が本システムのモジュール化度を向上し、且つ、本システムの増分配備を可能にする。例えば、単にユーザエージェントの機能性を欲するだけでトランザクション・サーバの機能性は欲しないプロバイダはユーザエージェントを配備することだけが必要である。
【００１６】
本発明の方法及びシステムは何らかの双方向メッセージ通信トランスポートの冒頭で履行可能である。本発明は、専用ページングネットワーク（例えば、狭帯域ＰＣＳ）や、セルラー短メッセージ通信サービス（例えば、ＩＳ-９５通信サービス、ＩＳ-１３６通信サービス及びＧＳＭ（Global System for Mobile Communications）通信サービス）、或いはワイヤレス・データ・トランスポート・サービス（例えば、ＡＲＤＩＳ社のワイヤレス・パケット通信サービス）を包含する。
【００１７】
上記サーバは特殊 ネットワーク・サーバまたは中継交換局上に実現することができる。
【００１８】
上記メッセージ通信装置１１は、既存の文字式ページャのような専用ページング装置やコンピュータ装置 (例えば、携帯デジタル情報端末（ＰＤＡ）、ラップトップ・コンピュータ)に付属するユニットであることができ、或いは、通信装置（例えば、セルラー電話機/ＰＣＳ電話機）またはコンピュータ装置 (例えば、携帯デジタル情報端末（ＰＤＡ）、ラップトップ・コンピュータ)の一部として組み込まれるようにすることが可能である。
【００１９】
【発明の実施の形態】
図１に注目すると、双方向ワイヤレス・メッセージ通信システム１０は本発明の双方向ワイヤレス・メッセージ通信システムを示し、該双方向ワイヤレス・メッセージ通信システム１０は双方向メッセージ通信装置（ページャ）１１からの発信メッセージ・コードが双方向メッセージ通信網１４のユーザエージェント１２に受信されることを可能にしている。双方向メッセージ通信装置（ページャ）１１は多くの図に渡って専用双方向ページャとして示されている。双方向メッセージ通信装置（ページャ）１１はまた通信装置の付属装置として設けることが可能であり、或いは通信装置またはコンピュータ装置の一部として内蔵されるようにすることもまた可能である。メッセージは、対撚り線や同軸ケーブル、光ファイバ回線、ワイヤレス・リンク或いは何れか他の種類の通信結合によるする第1通信結合２０によって電話機２２に接続されているネットワーク・アクセス・スイッチ１８を包含する公衆交換電話網１６を介して配信されるようにすることができる。双方向メッセージ通信網１４はまた、セルラー・ネットワーク２４または電子メール・メッセージ２７を所望の時間にパーソナル・コンピュータのような所望の宛先へ移送するためのデータ・ネットワーク２６へ接続することも可能である。更に、ワールド・ワイド・ウエブ（ＷＷＷ）２７aを介してメッセージを宛先へ転送することも可能である。
【００２０】
本発明によれば、第２通信結合２８は、ネットワーク・アクセス・スイッチ１８を第３通信結合３６を介してデータベース３２に結合されている回線網制御交換局（Network Control Point；ＮＣＰ）３０へ接続する。公衆交換電話網１６は第４通信結合３８を介して双方向メッセージ通信網１４に結合されている。双方向メッセージ通信装置（ページャ）１１と双方向メッセージ通信網１４との間の通信結合は無線インタフェースである。双方向メッセージ通信網１４はまた本双方向ワイヤレス・メッセージ通信サービスの加入者４０（図２参照）に対応する少なくとも１個のユーザエージェント１２を有することができる。上記加入者は双方向メッセージ通信網１４から第１通信チャネル４２に沿ってメッセージを受信する。これらのメッセージには被送信メッセージ或いは被送信リプライを包含することができる。双方向メッセージ通信装置（ページャ）１１により双方向メッセージ通信網１４へ転送されるメッセージは第２通信戻りチャネル４３に沿って転送される。メッセージ及び受取人のアドレスがコード化される場合、双方向メッセージ通信網１４に受信されたメッセージはユーザエージェント１２へ転送される。
【００２１】
本発明によれば、ユーザエージェント１２には複数の蓄積メッセージが包含される。所定のメッセージが、加入者の双方向メッセージ通信装置（ページャ）１１から第２通信戻りチャネル４３に沿って受信される発信メッセージ・コードに応答してデータ・ネットワーク２６、公衆交換電話網１６或いはセルラー・ネットワーク２４のような所望の宛先へ転送される。この発信メッセージ・コードはユーザエージェント１２によって展開され、所望の宛先へのダウンリンク・メッセージが完全な情報を包含することが可能になる。更にまた、上記選択された宛先は第２双方向メッセージ通信装置４４（図２参照）であってもよい。
【００２２】
図１及び図２に図示されるように、双方向ワイヤレス・メッセージ通信システム１０を使用することができるサービスは変化し、１）電話機２２、２）電子メール・メッセージ２７、及び第２双方向メッセージ通信装置４４のような、別の第２メッセージ通信装置を包含することができる。双方向メッセージ通信装置（ページャ）１１及び何れか他の装置によって使用される第２通信戻りチャネル４３は新しいメッセージまたは応答を搬送するだけでなく、双方向ワイヤレス・メッセージ通信システム１０の能力を向上する。第２通信戻りチャネル４３は肯定応答のために使用することができ、従って確実なメッセージ通信を可能にし、もし登録情報または位置情報のような信号通信が利用可能な場合、この信号通信のために使用することができる。上記メッセージはユーザエージェント１２内で展開されるので、順方向でのチャネル帯域幅と逆方向でのチャネル帯域幅は極めて大きく異なり、１００対１或いはそれ以上にも異なっている。この非対称はまた、双方向メッセージ通信装置（ページャ）１１と双方向メッセージ通信網１４との間の処理能力、メモリ記憶域及びバッテリー容量の観点からしても存在することがある。
【００２３】
考察の目的で、最初に双方向短メッセージ通信シナリオについて記述し、続いて種々のメッセージ゛通信システム・エレメント及びそれらの機能についてより詳細に記述する。
【００２４】
ここで図３に注目すると、この図はトーマス（Thomas）、ダン（Dan）、メリー（Mary）及びポール（Paul）の４人に対する、それぞれ、ＵＡ Ｔ５０，ＵＡ Ｄ５２，ＵＡ Ｍ５４及びＵＡ Ｐ５６として参照される４つのユーザエージェントを有する双方向ワイヤレス・メッセージ通信システムを示している。
【００２５】
トーマスは彼のページャ５０aを介して彼の昼食仲間の一員であるダン、メアリー及びポールへメッセージを送信し、昼食の選択について尋ねることができる。上記メッセージは、双方向メッセージ通信網１４を介し、メッセージ配信チャネル５７a（ 無線インタフェース ）、５７b（ データ回線網インタフェース ）、５７c（ 電話回線網インタフェース ）に沿って、それぞれ、ダンに帰属するページャ５８の形態の双方向メッセージ通信装置へのページング信号 、メアリーに帰属するコンピュータ６０への電子メール、及びポールに帰属する電話機６２への電話呼として配信される。各受取人からの応答は、個々のメッセージ戻り通信チャネル６４a、６４b、６４cに沿って双方向メッセージ通信網１４により収集され、第１通信チャネル４２を介してページング信号としてトーマスへ返送される。メッセージ戻り通信チャネル６４a、６４b、６４c及びメッセージ配信チャネル５７a、５７b、５７cのタイプは、ページャ５８、コンピュータ６０或いは電話機６２のような装置に依存して変わる。
【００２６】
本発明によれば、ユーザエージェント５０乃至５６が使用されているので、アップリンク・メッセージは短い状態に維持される。それらユーザエージェントはそれらの双方向メッセージ通信装置（ページャ）１１（図１参照）、５０a及び５８の状態及び文脈（例えば、ユーザエージェント内の何らかのアドレス・テーブル及びメッセージ・テーブル）を反映する。上記の例では、アップリンク・メッセージには短いグループ識別子及びメッセージ番号が包含される。これらはユーザエージェントにより、メッセージ展開中のそれぞれのデータ・テーブルの索引として使用される。メッセージ応答に関しては、アップリンク・メッセージには応答コードのみが包含される。これは上記回線網内で完全な応答に組み立て直される。グループ・アドレス指定を使用することによって、トーマスは単に１個のメッセージ通信アップリンクを終了し、上記回線網によって自動的に上記メッセージが所定の宛先における複数の受取人へコピーされる。
【００２７】
ダン、メアリー及びポールはめいめいが、トーマスによってメッセージの発信中に提案されるか或いはそれら受取人のそれぞれユーザエージェントのふるい分け／発送条件の一部として特定されている、異なるフォーマットでメッセージを受信する。
【００２８】
ふるい分け／発送の上記基準は極く一般的なものでよい。上記基準はメッセージ発信者、時刻或いは何らかの他の普通に入手可能な転送オプションに基づくものであってもよい。メッセージはまた種々の技法で作成することができる。例えば、トーマスはメッセージを組み込み応答を持つ内蔵メッセージとして送出することができる。従って、上記メッセージは要求のテキストを包含するだけでなく、受取人によって選択され且つ返信されるべき応答リストをも包含することとなる。
【００２９】
何れかのユーザエージェント 、例えば、要素５０乃至６０として図示されているユーザエージェントは代表的には、とりわけ、上記メッセージ通信装置と同様なアドレス・テーブル及びメッセージ・テーブルのコピーを保持する。上記メッセージ通信装置及びそれぞれ ユーザエージェントに蓄積されているアドレス情報及びメッセージ情報は常に互いに調和していなければならない。代表的には、これらのアドレス・テーブル及びメッセージ・テーブルを変更するために、加入者は最初に一つのコピーを変更するだけでよく、本システムは変更を他に伝播することとなる。
【００３０】
加入者が上記メッセージ通信システムへ新たなメッセージ或いはアドレスを入力することができる種々の方法が有る。主に２つの主要なカテゴリー、即ち、メッセージ通信装置自体を介するカテゴリー、或いはメッセージ通信システムを介するカテゴリーが有る。
【００３１】
例えば、図１３に示されるように、双方向メッセージ通信装置（ページャ）１１、例えば双方向ページャはＬＣＤ画面８８上に表示される模擬キーボード６９を包含することできる。加入者はページャ・ボタン８４を使用して模擬キーボード６９の辺りを誘導し、文字を選択してメッセージを組み立てる。この方法は冗長であり、いっそう短い定型メッセージに適切である。この方法は、動的な構成要素を包含する弾力的なメッセージを作成するには実際的ではない。
【００３２】
加入者はまた、他の加入者から送信された入信メッセージを選び、その加入者自身の一組のメッセージに加えることができる。例えば、加入者はもう一人の人から入信メッセージを受信することとなる。上記加入者はその特定のメッセージを嗜好し、双方向メッセージ通信装置（ページャ）１１上のボタンの適切な選択によりそのメッセージを自分自身のメッセージ・リストに加えることが可能である。
【００３３】
更に別の方法では、ページャのような多くの既存のメッセージ通信装置は入出力ポート(Ｉ/Ｏポート)を有する。このポートはラップトップ・コンピュータまたは携帯デジタル情報端末（Personal Digital Assistant；ＰＤＡ）へ接続するための使用することができる。加入者は上記ラップトップ・コンピュータまたは携帯デジタル情報端末（ＰＤＡ）を使用してメッセージの編集を行い、それらを入出力ポートを介して双方向メッセージ通信装置（ページャ）１１へダウンロードする。適切なプロトコルを使用することが可能であろう。
【００３４】
他の主要なカテゴリーはメッセージ通信システムを使用して加入者ユーザエージェントに対するメッセージ及びアドレスを何らかの新たなメッセージ及びアドレスに更新するためのものである。例えば、新しいメッセージ及びアドレスは上記ユーザ ・エージェントへ送り出される。これは加入者のメッセージとアドレスとの一式をカストマイズする１つの方法である。加入者ユーザエージェント中のコピーは、ダイヤル呼出しプログラム、インターネット接続、ワールド・ワイド・ウエブ（ＷＷＷ）ホーム・ページ或いは交換手さえ利用するようなことで更新され、メッセージ及びアドレスが直接ワイヤラインを介して変更される。
【００３５】
更に別の方法では、加入者は新たな第３者接続サービスに対する契約を行う。加入者が初めにサービスに対する契約を行うと、該加入者はそのサービスへアクセスするために使用される一組のメッセージ及びアドレスを与えられる。続いてこれらのメッセージ及びアドレスはサービス・プロバイダによって該加入者のユーザエージェントへ直ぐロードされる。
【００３６】
次に、双方向ワイヤレス・メッセージ通信システム１０（図１参照）に関するユーザエージェント１２（図１参照）について更に詳述する。
【００３７】
本発明に依れば、双方向ワイヤレス・メッセージ通信システム１０の各加入者は双方向メッセージ通信網１４内に存在するユーザエージェント１２で表されている。ユーザエージェント１２は双方向メッセージ通信装置（ページャ）１１から受信されたコード化発信メッセージを展開し、双方向メッセージ通信装置（ページャ）１１の直ぐ前の既知の位置に対するポインターを供する。ユーザエージェント１２はまた、それが接続状態にあり、且つ加入者のプロフィールである場合には、双方向メッセージ通信装置（ページャ）１１の状態を保持する。ユーザエージェント１２はまた、メッセージのふるい分けや選択的メッセージ発送のような幾つかの付加価値機能を具備することができる。ユーザエージェント１２はまた、それをその加入者がカストマイズすることが可能である。従って、ユーザエージェント１２は加入者のためのパーソナル・サーバとして作用する。
【００３８】
ユーザエージェント１２はまた、外にも利点を具備する。メッセージは双方向メッセージ通信網１４内で展開されるので、アップリンク上の帯域幅を縮小することが可能であり、ワイヤレス・リンク上では帯域非対称が可能にされる。知能的処理を、双方向メッセージ通信装置（ページャ）１１においてではなく、回線網で実行することにより、回線網の高能力が利用される。ユーザエージェント１２はその加入者が居る位置を追尾することによって移動性を管理する。結局、ユーザエージェント１２はそれが区域外にあるとき双方向メッセージ通信装置（ページャ）１１の管理代行エージェントとして 働く。
【００３９】
図１１に示されるように、ユーザエージェント１２はそれぞれ定型部分７０及び拡張可能部分７２を有することができる。定型部分７０は全ユーザエージェントに通有の基本メッセージ通信機能を履行する。定型部分７０はメッセージ通信装置の文脈（例えば、 アドレス・テーブル及びメッセージ・テーブル ）を模擬し、且つ、進行中のメッセージ配信に関する情報を保持することができる。拡張可能部分７２はユーザ・エージェント・プログラム・モジュール７２a、７２bを包含し、加入者（図１参照）が欲する特定のタスク、例えば、個人予定表を維持するタスク、ワールド・ワイド・ウエブ（ＷＷＷ）２７a、データベース７３、データ入力可能な箇所７３a或いは他の同様な機能からの特定情報を検索するタスクを実行するように拡張可能部分７２をプログラムすることが可能である。ソフトウエア７４は上記ユーザエージェント・プログラムと共同し、本システムに実行時間サポートを供する。
【００４０】
これら基本機能には登録／登録取消し、メッセージ配信及びメッセージ状態照会が包含される。
【００４１】
登録機能では、双方向メッセージ通信装置（ページャ）１１の現在の位置が、図４に示されるような上記システムに更新される。登録機能は明示的であってもよく、或いは、暗黙的であってもよい。明示登録は、メッセージ通信装置が電源投入されるとき、或いはそれが新たなクラスタ（房）７８（図４参照）内へ移動するときに行われる。暗黙登録は、メッセージが受信またはメッセージ通信装置へ配信されるときに行われる。電源投入中、ユーザエージェント１２はまた、双方向メッセージ通信装置（ページャ）１１での最後の電源遮断以後に双方向メッセージ通信網１４に受信されたメッセージをダウンロードすることもできる。
【００４２】
ユーザエージェント１２は、以下の場合にメッセージ配信を可能にする。即ち、
（１）  双方向メッセージ通信装置（ページャ）１１が新たなメッセージを創出するとき、
（２）  双方向メッセージ通信装置（ページャ）１１がメッセージを受信するとき、
（３）  双方向メッセージ通信装置（ページャ）１１がメッセージに応答するとき、及び
（４）  双方向メッセージ通信装置（ページャ）１１が応答を受信するとき。
【００４３】
グループ３と４に対する処理はグループ１と２に対する処理と極めて似ている。
【００４４】
双方向メッセージ通信装置（ページャ）１１が新たなメッセージを創出すると、ユーザエージェント１２は双方向メッセージ通信装置（ページャ）１１によって送信された宛先 アドレス・エイリアス及び応答アドレス・エイリアスを完全なアドレスに変換し、提供されたメッセージ番号及び修飾子をフル・メッセージ・テキストに展開し、上記メッセージに関するレコードを作成する。このレコードは何れかの後続のメッセージ照会に対する基礎として使用することができる。双方向メッセージ通信装置（ページャ）１１がメッセージを受信すると、ユーザエージェント１２によって双方向メッセージ通信装置（ページャ）１１の現在の状態 (オン/オフ) 及び位置が戻される。或る一定のパーソナル・メッセージ通信機能、例えば、送信またはふるい分けを実行することもまた可能である。
【００４５】
メッセージ状態照会に関しては、後述する如く、上記ユーザ ・エージェントが照会要求のメッセージ・レコードを参照することによって照会要求に対する応答が為され、且つ、もし必要な場合には、トランザクション・サーバへ現在の配信状態についての照会が行われる。
【００４６】
上記ユーザエージェントの拡張可能部分７２は、追加の機能をユーザエージェント・プログラム・モジュール７２a、７２b（図１１参照）として加えることができる枠組みを特定する。この一纏まりのプログラムには特定パターンのメッセージを取り扱うためのコードが包含される。拡張可能部分７２は事象主導モデルを追尾し、入信メッセージとのパターン照合を行ってそれらを適切なプログラム・モジュールへタスク指名するカーネルを供する。拡張可能部分７２はまた、それを、メッセージを上記ユーザエージェント自体へアドレスすることによって、信号通信に使用することが可能である。例えば、メッセージ状態照会は、それを拡張可能部分７２の信号機能として履行することが可能である。
【００４７】
ここで図４に注目すると、この図は本発明の双方向ワイヤレス・メッセージ通信システム１０の基本アーキテクチャを示している。図示されるように、双方向ワイヤレス・メッセージ通信システム１０は３層階層構造を包含する。最上階層はドメイン（領域）８０であり、クラスタ７８が中間階層を構成し、セル８２は最下階層である。基地局７６のサービス・エリヤはセル８２を定義する。一纏まりの隣接セル８２がクラスタ７８を形成し、一纏まりのクラスタ７８がドメイン８０を形成する。３個のドメイン８０が図示されている。ドメイン８０は管理ユニットであり、各加入者は「ホーム・ドメイン」と呼ばれる独特のドメインに組み入れられている。本発明の双方向ワイヤレス・メッセージ通信システム１０の様々なサーバが各ドメイン８０内に同様に包含され、加入者のユーザエージェントがそのホーム・ドメインに常駐し、そのホーム・ドメインによって管理される。説明のため、１個のシングル・ドメインのみについて説明する。本階層構造は本発明の以下の幾つかの重要な基本方針に関して設計されている。即ち、
（１） 制御情報送信を制限する基本方針；
（２）被送信メッセージのサイズを制限する基本方針；及び
（３）機能をモジュール様式で分配する基本方針。
【００４８】
双方向メッセージ通信装置（ページャ）１１によって制御情報の送信を制限するために、 周期的信号通信の量が縮小される。例えば、位置の更新を、登録領域がクラスタ７８とされるように定義することによって、最小化することができる。この結果、双方向メッセージ通信装置（ページャ）１１はそれがクラスター境界を交差するとき、双方向ワイヤレス・メッセージ通信システム１０に再登録されるに過ぎない。これにより、特に高い加入者移動性を持つマイクロセル通信施設において、信号通信量を縮減することができる。、従って、上記メッセージ通信網は、クラスタ７８の解明のためにはメッセージ通信装置の位置を知るだけでよく、メッセージ配信の前に双方向メッセージ通信装置（ページャ）１１の位置を突き止めるために必要とされる検索は限定される。
【００４９】
クラスタ７８のサイズが小さい場合は、装置位置突き止めの精度が良くなり、且つ、メッセージ通信の遅延も短くなるが、多頻度の更新が必要である。他方、クラスタ７８のサイズが大きい場合は、平均メッセージ通信遅延は増大するが必要な更新回数は少ない。最適クラスタ・サイズを得るには、メッセージ到達率及び移動性パターンの双方を検討する必要が有る。
【００５０】
ここで図９に注目すると、この図は本発明で使用されるメッセージ通信装置の一例を図示している。該メッセージ通信装置は専用のスタンド・アロン型双方向メッセージ通信装置（ページャ）１１として示されている。この例では、双方向メッセージ通信装置（ページャ）１１は加入者ユーザエージェントへのメッセージの生成、受信及び表示を行う。上記メッセージ通信装置の設計は、電力消費を最小にするニーズのような重大なハードウエアの能力限界を考慮する必要がある。図示の如く、双方向メッセージ通信装置（ページャ）１１は「何時でも何処でも」的サービスに欠かせない携帯性を備えるために名刺サイズとすることがよい。電力消費は、バッテリー交換の頻度を少なくするために、最少限にしなければならない。
【００５１】
図９は、下部にファンクション・キー、即ち機能が文脈によっていろいろ変化するキーとして働く４個の機能ボタン（ページャ・ボタン）８４を有し、サイドに主としてスクロール目的に使用される２個のボタン８６を有する、ページャ１１の代表例の概略図を示す。双方向メッセージ通信装置（ページャ）１１は５行のＬＣＤ画面８８を包含し、その上部の４行はテキスト表示に使用され、下部の１行はファンクション・キーの最新の縁取りを示す。双方向メッセージ通信装置（ページャ）１１はコンピュータ・ハードウエア 、即ち、ユーザ・インタフェース・コード及びページャ・プロトコルに対するプロセッサ及びメモリを包含する。低電力の汎用マイクロプロセッサを双方向メッセージ通信装置（ページャ）１１に使用することが可能である。メモリはこれら種々のメッセージ及び関連データを収容するのに十分な能力を持たなければならない。
【００５２】
図２及び図４に図示される如く、基地局７６は双方向メッセージ通信装置（ページャ）１１で終端する無線インタフェース及びリンク層プロトコルを有する。基地局７６は無線インタフェース資源を管理する。基地局７６は、何らかのワイヤレス・メッセージ通信システム及びワイヤレス・ページング・システムに必要とされるような、セルラ無線基地局、パケット無線機或いは他のタイプのトランシーバとして配備されるようにすることができる。
【００５３】
ここで図４及び図５の全体を概括的に参照し、以下、本発明の双方向ワイヤレス・メッセージ通信システムで使用される種々のサーバについて記述する。
【００５４】
バッチ・サーバ１００は基地局７６へ知能性を供する。１個のバッチ・サーバ１００が１以上の基地局７６と接続し、双方向メッセージ通信装置（ページャ）１１からメッセージを受信し且つ肯定応答する。バッチ・サーバ１００はまた、メッセージ通信装置へ予定されたメッセージを受信し、それらを配信する目的で適当な基地局７６へ転送し、且つ、それらメッセージが正しく受信された肯定応答を受信する。バッチ・サーバ１００はダウンリンク・ページ信号を予定配信のためのグループに纏めて、ページャのスリープ・モード動作を可能にする。本質において、バッチ・サーバ１００は双方向ワイヤレス・メッセージ通信システム１０の有線（回線網）部分とワイヤレス (加入者及び基地局)部分との間の形質転換点として作用する。バッチ・サーバ１００は加入者装置からのアップリンク・メッセージを基地局７６を介して回線網へ中継し、回線網からのダウンリンク・メッセージを基地局７６を介して加入者装置へ中継する役割を担っている。
【００５５】
双方向メッセージ通信装置（ページャ）１１、基地局７６及びバッチ・サーバ１００の間の対話に使用することができるプロトコル構造が図６に示めされている。メッセージ層プロトコル（ＭＬＰ）１０２はバッチ・サーバ１００とメッセージ通信装置との間の確実なメッセージ配信を確保する役割を担っている。メッセージ層プロトコル（ＭＬＰ）１０２の各データ・ユニットには１個の ユーザ・レベル・メッセージが包含される。メッセージ通信装置毎に多くとも１個のメッセージが一時に懸案となることがある。メッセージの送信側エンティティは懸案のメッセージに対する再送タイマを保持し、送信側エンティティが肯定応答を受信するまでメッセージの再送を行う。肯定応答はメッセージが正しく受信されたとき、上記受信側ＭＬＰエンティティによって生成される。
【００５６】
無線リンク特殊収束副層（Airlink Specific Convergence Sublayer；ＡＳＣＳ）１０４はバッチ・サーバ１００と双方向メッセージ通信装置（ページャ）１１との間の対等通信を動作させる。無線リンク特殊収束副層（ＡＳＣＳ）１０４はメッセージ層プロトコル（ＭＬＰ）１０２のデータ・ユニットを無線インタフェースを介して送信するのに適したサイズのセグメントに分ける役目を担い、受信者側の無線リンク特殊収束副層（ＡＳＣＳ）１０４は無線インタフェース・フレームをＭＬＰデータ・ユニットに再組み立てする役割を担っている。無線リンク特殊収束副層（ＡＳＣＳ）１０４は正しく受信されたデータ・ユニットだけをメッセージ層プロトコル（ＭＬＰ）１０２へパスし、破損したデータ・ユニットはどれもひっそりと棄却される。上記ＡＳＣＳプロトコル仕様は上記無線インタフェース・プロトコルに依存しており、その結果、多くの異なるＡＳＣＳプロトコル仕様が存在することとなろう。
【００５７】
２個のリンク層プロトコル１０６、１０８が図示されている。リンク層プロトコル（ＬＩＮＫ1）１０６はバッチ・サーバ１００と基地局７６との間で動作する。リンク層プロトコル（ＬＩＮＫ2）１０８は無線インタフェースを介して動作し、双方向ワイヤレス・メッセージ通信システム１０で使用されている特定の無線インタフェースによって特定される。
【００５８】
図１０は高水準の構成を持つバッチ・サーバを示している。該バッチ・サーバには、その動作が行われるために必要な登録されたメッセージ通信装置テーブルのような数個のデータ構造が保持され、登録されたメッセージ通信装置テーブルには該バッチ・サーバによって現にサービスを受けている各メッセージ通信装置に対するレコードが保持される。上記レコードには、通信量統計（例えば、メッセージ通信装置との間の幾つかのアップリンク・メッセージやダウンリンク・メッセージ）に関する情報だけでなく、上記メッセージ通信装置（例えば、最後に訪問があった基地局）に関する情報の双方が 包含されている。ワイヤライン (回線網) サイドは概ね１０９で表示され、ワイヤレス (加入者及び基地局) サイドは１０９aで表示される。
【００５９】
レコードは、２つの環境、即ち、明示登録や 暗黙登録の下で登録されたメッセージ通信装置テーブル内で作成される。その結果、明示登録は２つの状態、即ち、電源投入時初期設定やクラスター境界 交差の下で実行される。前者は新規登録であるが、後者は再登録 である。再登録は古いバッチ・サーバに保持されている状態情報を削除する追加のステップを要求する。他方、暗黙登録は、現在は登録されていないメッセージ通信装置からデータ・メッセージを基地局が受信するときに行われる。これはアクティブなメッセージ通信装置がクラスタ内のセル間で移動する結果であることが多い。上記レコードは、電源遮断時登録取消しが受信されるときに削除される。
【００６０】
別のデータ構造にダウンリンクで配信される予定のメッセージを包含する無応答メッセージ待ち行列（ＵＭＱ）１１０が有る。それらは論理的にはメッセージ通信装置毎のベースで編成されるが、しかし実際の履行はそれらは別々の待ち行列若しくは共通メッセージ・プールに基づくことができる。バッチ・サーバ１００はメッセージを配信する際に少し進んでは止まる方法を使用する。即ち、バッチ・サーバ１００は双方向メッセージ通信装置（ページャ）１１への以前のメッセージが肯定応答されるまで双方向メッセージ通信装置（ページャ）１１への新たなメッセージの配信を行わない。従って、どの特定の時間にも、多くて１つの懸案の無応答メッセージが存在する。
【００６１】
メッセージ通信装置から肯定応答が受信されると、肯定応答受けメッセージ 、即ち、待ち行列のヘッド部分に有るメッセージが肯定応答受けメッセージ待ち行列（ＡＭＱ）１１２へ移動される。肯定応答は短文であるように設計され、該肯定応答には、宛先ページャに関して局所的に独特の識別子であるいわゆる受信バッファ・インデックス（ｒｂｉ）が包含される。上記受信バッファ・インデックス（ｒｂｉ）は、後で応答を当初のメッセージと相関させるために使用される。
【００６２】
更に別のデータ構造に、宛先メッセージ通信装置によって配信が肯定応答されているメッセージを包含し、現在はそれらの応答を待機している、肯定応答受けメッセージ待ち行列（ＡＭＱ）１１２が有る。応答には、応答コードと共に受信バッファ・インデックス（ｒｂｉ）が包含される。上記受信バッファ・インデックス（ｒｂｉ）は当初の要求を検索するために使用される。即ち、上記受信バッファ・インデックス（ｒｂｉ）は基本的にはローカル・メッセージ識別コードとして働き、従ってシステム・メッセージ識別コードをアップリンクに送信する必要が解消される。応答コードは所望の応答をコード化し、応答元のユーザエージェントによって展開されることとなる。
【００６３】
一般的に、これら待ち行列の長さは、応答が約３０分の台で厳密に肯定応答に追随する傾向があるため、短い。もし応答が一定の制限時間内に到来しない場合、その状態を上記ユーザエージェントへ戻すための手順が存在し得、当業者によって履行される。従って、上記ＡＭＱＳは応答を処理する際に必要とされるメッセージ情報を蓄積するためのキャッシュ・メモリのように動作する。
【００６４】
上記無線インタフェースに依り、バッチ・サーバ１００はまた他の低いレベルのタスクを遂行する役割りを担うことができる。これら低いレベルのタスクにはマルチキャスト動作を使用するパケットの配信が包含される。マルチキャスト配信には２つの可能な形態、即ち、１）真マルチキャスト配信と、２）随時マルチキャスト配信とが有る。真マルチキャスト配信では、マルチキャスト・グループに属するメッセージ通信装置が１個のマルチキャスト・アドレスを共有し、各メッセージが該マルチキャスト・アドレスを使用して配信される。随時マルチキャスト配信では、宛先装置識別コード・リストを包含するアドレス・ヘッダ・メッセージが先ず受信側メッセージ通信装置に警報するために送信される。このアドレス・ヘッダ・メッセージに続いてメッセージの本体が送信される。
【００６５】
再び図４及び図５に注目すると、これらには個々の サーバのアクティビティを統合することによって本システムのモジュール化度を向上するメッセージ゛通信サーバ１１４が示されている。メッセージ゛通信サーバ１１４は発信メッセージを受信し、他のサーバと連携して、それらの位置及びメッセージを配信するために必要なフォーマットを判定し、付加価値サービスを呼び出し、最後にメッセージをそれらを配信することができるサーバへ転送する。メッセージ゛通信サーバ１１４の機能性は全メッセージ通信システムで必要とされ、その動作は上記知能性及びメッセージ通信システムから入手可能な付加価値サービスに依存して変化する。
【００６６】
配布サーバ１１６はメッセージをそれらの最終宛先へ適当なフォーマットで配信する役割を担っている。双方向メッセージ通信装置（ページャ）１１のようなワイヤレス装置へ配信されるべきメッセージに関しては、配布サーバ１１６がユーザエージェント１２によって供された位置情報に基づいて指定ページング・アルゴリズムを実行する。異なるフォーマットに変換する必要があるメッセージに関しては、配布サーバ１１６はメッセージをトランスレータへ転送する。上記配布サーバの機能は基本的に双方向ワイヤレス・メッセージ通信システム１０で要求される。もし双方向ワイヤレス・メッセージ通信システム１０が位置情報を使用せず、しかし双方向ワイヤレス・メッセージ通信システム１０で無線インタフェースが配信しなければならないメッセージで溢れる場合（真のブロードキャスト）は、上記配布サーバの機能が最小限で有る。
【００６７】
本発明では、配布サーバ１１６は位置情報を供給するユーザエージェント１２と共に動作し、ユーザ移動性を管理する。配布サーバ１１６は配信されるべき何れかのメッセージを、双方向メッセージ通信装置（ページャ）１１或いは他のワイヤレス装置のようなメッセージ通信装置に供していたことがつい今し方まで分かっていたバッチ・サーバ１００へ転送する。もしバッチ・サーバ１００によるメッセージの配信が旨くいくと、配布サーバ１１６が肯定応答を受信し、上記アルゴリズムが終了する。もし上記バッチ・サーバがタイムアウトすると、配布サーバ１１６は当初の目標バッチ・サーバの近辺に在る全バッチ・サーバ１００へメッセージを転送することとなる。このことによってメッセージを配信しようとするサービス・エリヤが増大する。上記メッセージは第２回目の配信の試みが為される際には当初のバッチ・サーバへ送信されない。もし上記メッセージが依然として配信されない場合は、サービス・エリヤが再度増大され、メッセージが配信されるまで最新のサブセットの近辺に在るバッチ・サーバ１００へ送信する。
【００６８】
このアルゴリズムは幾つかの利点を有する。第１の利点として、単一のバッチ・サーバ１００が検索中に２回包含されることが無い。第２の利点として、配布サーバ１１６がクラスタ領域上で指定ページングを実行する間、バッチ・サーバ１００がクラスタ７８内の各基地局７６の間で指定ページング・ アルゴリズムを実行することができる。この分散制御により、配布サーバ１１６に対してその指定ページング・アルゴリズム検索リストを変更するように要求すること無く、基地局７６をクラスタへ加えることが可能にされる。双方向ワイヤレス・メッセージ通信システム１０の指定ページング・アルゴリズムは、現在運用中の多くのページング・システムによって使用されているフラッディング技法と対比されるとき、双方向ワイヤレス・メッセージ通信システム１０内の無線通信量及び回線網通信量の双方を縮減するように設計されている。この基本アルゴリズムの多くの変形例が当該分野の技術者に可能である。
【００６９】
トランザクション・サーバ１１８（図４、５及び１２参照）はメッセージ通信加入者間のトランザクションを追尾する。このトランザクションは、相互に関連するメッセージ、応答及び肯定応答を必要とする。トランザクション・サーバ１１８は幾つかのトランザクション型をサポートし、要求が有ったときトランザクションの状態を通報し、トランザクションが完結するとそれをクローズする。トランザクション・サーバ１１８は１対１トランザクション及び１対多トランザクションをサポートする。例えば、加入者（図２参照）はメッセージを３つの端末へ送信し、且つ、最初の応答だけが通知されるように要求することができる。この事例では、トランザクション・サーバ１１８はメッセージが送信されるときにトランザクションをオープンし、最初の 応答が受信されたときにそのトランザクションをクローズすることとなる。それ以降の応答は棄却されることとなる。もしシステムがトランザクションをサポートしない場合は、トランザクション・サーバ１１８は不要なエレメントである。
【００７０】
本発明のシステムでは、トランザクション・サーバ１１８が更に向上した一組のトランザクション・サービスを構成するように組み合わせ可能な次の基本トランザクション型、即ち、
１． 全数応答トランザクション；
２． Ｎ数応答トランザクション；及び
３． 時限応答トランザクション
をサポートする。
【００７１】
上記全数応答トランザクションは応答があらゆるメッセージ受取人で受信されるまでオープン状態に留まる。上記Ｎ数応答トランザクションは応答がＮ個の受取人で受信されるまでオープン状態に留まる。上記時限応答トランザクションはユーザ指定時刻が切れるまでオープン状態に留まる。一旦トランザクションがクローズされると、それ以降の応答は受け入れられず、従ってトランザクション開始元へは転送されない。例えば、最初の３つの応答だけが５分間以内に受け入れられるトランザクションでは、もし５分間が経過するか或いは３つの応答が受信されるかの何れかの場合に、トランザクションがクローズされる。これはＮ数応答トランザクション型と時限応答トランザクション型との組み合わせの例である。全トランザクションが、ほどよい量の時間内に完結されなかったトランザクションをクローズするために使用されるシステム・タイマーに従う。
【００７２】
トランザクション・サーバの構成の一例の該略図が図１２に図示されている。前に述べたように、トランザクション・サーバ１１８は３個の基本 トランザクション型、即ち全数応答トランザクション、Ｎ数応答トランザクション及び時限応答トランザクションをサポートする。
【００７３】
図１２に示すように、上記トランザクション・サーバは階層構造の２つの層レベル 、即ち、会話管理装置１２０及びトランザクション・マネージャ１２２を有する。会話管理装置１２０はオープン状態１２４またはクローズ状態１２６の何れかを取る簡単な２状態マシンを保持する。もしトランザクションがオープン状態であれば、当初のメッセージに対する応答が期待され、受け入れられる。もしトランザクションがクローズされると、応答は受け入れられない。トランザクション・マネージャ１２２はトランザクションに関与する各受取人の状態を追尾する役割りを担っており、従ってトランザクションがクローズされるべきか否かを判定する。トランザクション・マネージャ１２２は、この決定をトランザクションに関して受け入れられつつある応答の数及び図１２bに図示されているような受信完了状態に達した受取人１２８の数に基づいて行う。適当な数の受取人が受信完了状態にあるときは、上記トランザクション・マネージャ１２２が会話管理装置 １２０へトランザクションをクローズするように告げる。
【００７４】
ここで３つの受取人との簡単なトランザクションを検討する。トランザクション・サーバ１１８はメッセージ゛通信サーバ１１４からのＯＰＥＮＴＸ（オープン・トランザクション）要求を受信しそのトランザクションに固有のトランザクション識別コードを割り当てる。トランザクション・サーバ１１８は続いて会話管理装置１２０を起動し、この要求を処理させる。会話管理装置１２０はトランザクション識別コードによってインデックスされる。会話管理装置１２０はオープン状態に遷移し、トランザクション・マネージャ１２２を起動する。トランザクション・マネージャ１２２は、各受取人に１つの、受取人の状態を反映する３個のレコードを作成する。これらのレコードは受取人アドレスによってインデックスされる。それら当初の状態は「送信済」と名付けられ、メッセージが３個の受取人の全てに送信されていることを意味する状態である。
【００７５】
トランザクション・サーバ１１８はまた、トランザクション型に関わる情報を蓄積する。例えば、トランザクション・サーバ１１８はトランザクション型からどれだけの数の応答がトランザクションに関して受け入れられる必要が有るかを判定する。トランザクション・サーバ１１８はまた、トランザクションが何時までにクローズされる必要が有るかを決める締め切り時刻タイマを設定する。もしトランザクションが時限トランザクションでない場合は、デフォールト・システム・タイマーが、代表的にはだいたい日の長さで使用される。このとき、トランザクション・サーバ１１８は上記トランザクション識別コードを持つメッセージ゛通信サーバに応答する。
【００７６】
肯定応答及び応答がメッセージ受取人から受信されると、会話管理装置１２０はトランザクションをオープン状態に保持する。トランザクション・マネージャ１２２は各対応する受取人の状態を修正する。それら応答に関する肯定応答が受信されると、トランザクション・マネージャ１２２は 適切な受取人を受信完了状態に遷移することとなる。トランザクションに認められる応答の数に依存して、配布サーバ１１６は応答が更に多く受け入れられる必要が有るか否かを判定する。応答限界に達すると、即ち、必要な数の受取人が受信完了状態に達したとき、トランザクション・マネージャ１２２は会話管理装置１２０に対してトランザクションをクローズするように指図する。トランザクション・マネージャ１２２はまた、もしトランザクション時間が過ぎている場合にも、会話管理装置１２０に対してトランザクションをクローズするように指図する。
【００７７】
その後、トランザクション・サーバ１１８に受信された応答は阻止される。トランザクション・サーバ１１８はレコード・タイマーを設定する。レコード・タイマーが切れるまで、トランザクション・サーバ１１８はクローズ状態に凍結され、且つ、受取人の状態も凍結される。この期間中、トランザクション・サーバ１１８にトランザクションの状態に関して照会することが可能である。レコード・タイマーが切れると、トランザクション・サーバ１１８はトランザクションに関して会話管理装置１２０及びトランザクション・マネージャ１２２を削除する。トランザクション・サーバ１１８に対するその後の照会によって何れも、無効トランザクション識別コード・メッセージが得られることとなる。
【００７８】
図１２bに示される簡単な ルーチン・フロー・チャートはメッセージ送信とその肯定応答を示す。ステップ１３０でメッセージが送信され、ステップ１３２で肯定応答が受信される。ステップ１３４で応答が受取人から受信され、続いて応答に対して肯定応答が受信されるとステップ１３６で上記シーケンス が完了する。
【００７９】
本発明に伴う本双方向ワイヤレス・メッセージ通信システム１０では様々なタイプのメッセージが可能である。主に静的メッセージをサポートし、或いは口述を要求する、多くの既存のページング及びメッセージ通信システムとは違って、本発明は柔軟性が有るメッセージ・タイプをサポート する。これらのメッセージ・タイプの設計はメッセージ通信装置の能力によって強く影響される。例えば、キーボードが無い場合は自由形式メッセージが非実用的であることを意味する。同様に、メッセージ通信装置によって局所的に処理される先進機能が多くなるほど、メッセージ通信装置は処理ロジックを取り扱うために十分に精巧でなければならない。
【００８０】
最も基本的なタイプのサポートされたメッセージは固定の内蔵メッセージである。このメッセージは単方向文字ページングの下で現在得られるものと同一である。固定の内蔵メッセージの単純な敷衍は、いわゆるリッチテキスト・メッセージである。このリッチテキスト・メッセージ によって、テキスト属性、例えば、太字体、逆転表示などが平文の固定の内蔵メッセージに加えられる。しかし、固定の内蔵メッセージは重大な制約を受ける。即ち、それらを動的にカストマイズすることはできない。それを克服するために、本発明は３つのタイプの動的な構成要素、即ち、１）任意選択構成要素、２）選択的要素及び３）前以って定義された変数を導入する。任意選択構成要素は、包含或いは排除を動的に為すことができるメッセージ部分の輪郭を描く（区別かつくように描く）。選択的要素はそこから選択すべき要素リストを供する。例えば、「ロケーション」と名付けられた選択的要素は選択肢リスト、即ち、ａ）家庭、ｂ）オフィス、または、ｃ）研究所に展開することができる。一組の利用可能な選択的要素が個々の加入者によって定義される。前以って定義された変数は、ユーザがカストマイズ可能な特定の共通に使用される入力項目を表す。前以って定義された変数の代表的な例は、時間、電話番号などである。動的な構成要素は、必要に応じて入れ子式に重ねられるようにすることができる。
【００８１】
応答を容易にするために、メッセージは応答構成要素を包含することができる。応答構成要素は所望の応答を内蔵し、代表的には動的な構成要素を利用する。このことはそれら可能な応答が演繹的に折り合いのゆく用途で有益である。
【００８２】
最も一般的なメッセージ・タイプには条件付き構成要素(conditional component)が包含される。条件付き構成要素は以前の動的な構成要素の意味に基づいて条件次第で包含或いは排除されるようにすることができる。その条件付き構成要素は多数のメッセージを互いに鎖状接続するために使用可能であり、その結果、往復遅延が消去される。それらは最先端のメッセージ通信応用分野に対してだけ意図されている。
【００８３】
以下、応答を持つマルチキャスト・メッセージ配信のためのプロトコル・フローの例を説明する。この説明を本システムの顕著な特徴に焦点を当てて進める。
【００８４】
この例では、図７および図８に表されるように、加入者（Ｓ）２００がメッセージを３つの受取人、即ち、受取人（Ｒ1）２０２、受取人（Ｒ2）２０４及び受取人 （Ｒ3）（図示せず）へ送信する。この例では、バッチ・サーバ（ＢＳ-Ｒ１）２２２で最後に登録された受取人 R1２０２が、現在依然としてそのバッチ・サーバ（ＢＳ-Ｒ１）２２２に在る。バッチ・サーバ（ＢＳ-Ｒ２１）２３０で最後に登録された受取人（Ｒ2）２０４は、その後でバッチ・サーバ（ＢＳ-Ｒ２２）２３２へ移動している。受取人（Ｒ3）は現在非活動状態にある。即ち、電源がオフされている。受取人（Ｒ1）２０２は最初の配信の試みが為されたときにそのメッセージ通信装置にメッセージを受信する。受取人（Ｒ2）２０４は２回目の配信の試みが為されたときにそのメッセージ通信装置にメッセージを受信する。受取人（Ｒ3）は、メッセージが次の検索のためにメッセージ蓄積サーバへ転送されるように要求する。以下、各エンティティの機能、本システムのロケーション管理手順及び指定ページング・アルゴリズムの例について説明する。個々の基地局とのやり取りはこの例には包含されない。説明を簡単にするため、基地局とバッチ・サーバとの間に１対１マッピングが有るものと想定する。
【００８５】
図７はメッセージ配信手順を高度に図式化した描写を示す。メッセージの発信者である加入者（Ｓ）２００は、そのメッセージをＰＧ２Ｓ-ＮＥＷメッセージを媒介としてその供給側バッチ・サーバ（ＢＳ-Ｓ）２０８を介して回線網へ送信する。このＰＧ２Ｓ-ＮＥＷメッセージには、加入者（Ｓ）２００のアドレス 、一群の受取人アドレス、一群の応答先アドレス及びコード化メッセージが包含される。この例では、リストされている受取人は受取人（Ｒ1）２０２、受取人（Ｒ2）２０４及び受取人（Ｒ3）２０６であり、応答先アドレスはメッセージ発信者（Ｓ）２００のアドレスである。メッセージはメッセージ番号及び幾らかの動的な構成要素の意味を示すことによってコード化される。供給側バッチ・サーバ（ＢＳ-Ｓ）２０８はメッセージを受信して加入者（Ｓ）２００へ戻す、上記回線網がメッセージを配信のために既に受け入れていることを表す肯定応答ＢＳ２ＰＧ-ＡＣＫ（逆向き矢印で示されている）を生成する。
【００８６】
供給側バッチ・サーバ（ＢＳ-Ｓ）２０８はメッセージをＢＳ２ＭＳ-ＮＥＷメッセージでもってメッセージ゛通信サーバ（ＭＳ）２１０へ転送する。上記ＰＧ２Ｓ-ＮＥＷメッセージに包含される情報の外に、このメッセージにはこのメッセージを本システム全体に渡って一意に識別するメッセージ識別子（ｍｉｄ）が包含される。
【００８７】
メッセージ゛通信サーバ（ＭＳ）２１０はＭＳ２ＵＡ-ＮＥＷメッセージでもってメッセージ発信者のユーザ・エージェント（ＵＡ-Ｓ）２１２と交信する。ユーザエージェント（ＵＡ-Ｓ）２１２はメッセージ展開機能を実行する。ユーザエージェント（ＵＡ-Ｓ）２１２は受信されたメッセージ番号及び動的な構成要素の意味に依存してメッセージ本体を展開し、幾つかのアドレス・エイリアスを完全なシステム・アドレスに展開する。ユーザエージェント（ＵＡ-Ｓ）２１２はメッセージ゛通信サーバ（ＭＳ）２１０にメッセージ本体及びメッセージ・タイプを応答する。即ち、このメッセージが応答を要求する場合や、トランザクションの一部である場合、或いは単純な単方向ページング信号である場合は表示信号を応答する。この例では、メッセージは、全受取人からの応答が要求されるトランザクションとして分類される。この情報は上記ＵＡ２ＭＳ-ＮＥＷメッセージでもって送信される。
【００８８】
ここで、メッセージ゛通信サーバ（ＭＳ）２１０はメッセージ受取人のユーザエージェントと交信してそれらの対応するメッセージ通信装置の位置、それらがメッセージを受信しようとするフォーマット、及びそれらの状態を判定する。メッセージ゛通信サーバ（ＭＳ）２１０はヘッダ（ＨＤＲ）メッセージを上記ユーザ・エージェントへ送信することによって上記判定を行う。上記ユーザエージェントはメッセージ通信装置の状態及び直ぐ前の既知の位置を応答する。この例では、ユーザエージェント（ＵＡ-Ｒ１）２１４が、メッセージ通信装置がアクティブであること、及び、その直ぐ前の既知の位置がＢＳ-Ｒ１にあることを応答する。ユーザエージェント（ＵＡ-Ｒ２）２１６は、メッセージ通信装置がアクティブであること、及び、その直ぐ前の既知の位置がＢＳ-Ｒ２１にあることを応答する。ユーザエージェント（ＵＡ-Ｒ３）２１８は、そのページャがオフ状態であること、及び、メッセージをメッセージ蓄積サーバへ転送する必要が有ることを応答する。
【００８９】
メッセージ゛通信サーバ（ＭＳ）２１０はそれらの応答を受信し、続いてトランザクション・サーバ（ＸＳ）２２０がこのメッセージ交換に関するトランザクションを上記ＯＰＥＮＴＸメッセージを媒介してオープンすることを要求する。トランザクション・サーバ（ＸＳ）２２０はトランザクションをオープンし、ＴＸＲＳＰメッセージ中のトランザクション識別コードを返信する。上記トランザクション識別コードはこのトランザクションを回線網全体に渡って一意に識別し、更に、このトランザクションを管理しているトランザクション・サーバ（ＸＳ）２２０を識別する。上記トランザクション識別コードはメッセージ発信者のユーザエージェント（ＵＡ-Ｓ）２１２へ転送され（ＴＸＵＰＤＡＴＥ）、その結果、ユーザエージェント（ＵＡ-Ｓ）２１２はそれがもし後でトランザクションの状態に関する何らかの照会を受信した場合に上記トランザクション・レコードにアクセスすることが可能である。
【００９０】
メッセージ゛通信サーバ（ＭＳ）２１０は続いて、受取人リスト、それらの所望のメッセージ・フォーマット及び直ぐ前の既知の位置と一緒に配布サーバ（ＤＳ）２２１へフル・メッセージ本体を転送する（ＭＳ２ＤＳ）。配布サーバ（ＤＳ）２２１は、提供された位置情報及びメッセージの所望のフォーマットに基づいて、メッセージを受取人へ配信する方法を判定する。配布サーバ（ＤＳ）２２１は、受信された位置情報による指図に従ってメッセージをバッチ・サーバ（ＢＳ-Ｒ１）２２２を介して受取人（Ｒ1）２０２へ転送し、且つ、バッチ・サーバ（ＢＳ-Ｒ２１）２３０を介して受取人（Ｒ2）２０４へ転送する。配布サーバ（ＤＳ）２２１は、受取人（Ｒ3）に対するメッセージをメッセージ蓄積サーバ（ＭＳＳ）２２４へ転送する。
【００９１】
バッチ・サーバ（ＢＳ-Ｒ１）２２２はメッセージ（ＭＳＧ）を受取人（Ｒ1）２０２へ配信し、最後には肯定応答（ＡＣＫ）を受信する。バッチ・サーバ（ＢＳ-Ｒ１）２２２はこの肯定応答を配布サーバ（ＤＳ）２２１へ転送し、配布サーバ（ＤＳ）２２１はその肯定応答をトランザクション・サーバ（ＸＳ）２２０へ転送する。トランザクション・サーバ（ＸＳ）２２０はそのトランザクション・レコード を更新する。
【００９２】
同様に、受取人（Ｒ3）に代わってメッセージ蓄積サーバ（ＭＳＳ）２２４から肯定応答が受信される。この肯定応答はまた、配布サーバ（ＤＳ）２２１及びトランザクション・サーバ（ＸＳ）２２０へ転送される。更に、配布サーバ（ＤＳ）２２１はユーザエージェント（ＵＡ-Ｒ３）２１８を更新し、そのユーザエージェント（ＵＡ-Ｒ３）２１８へユーザが後で記憶装置からのメッセージを検索する際に依存する検索識別コードを知らせる。上記検索識別コードは、ユーザエージェント（ＵＡ-Ｒ３）２１８によって受取人 （Ｒ3）へ、その電源がオン状態にあるときダウンロードされる。
【００９３】
バッチ・サーバ（ＢＳ-Ｒ２１）２３０は受取人（Ｒ2）２０４に関する肯定応答は受信せず、従ってタイムアウトする。バッチ・サーバ（ＢＳ-Ｒ２１）２３０は配布サーバ（ＤＳ）２２１への否定応答（ＮＡＫ）を生成する。配布サーバ（ＤＳ）２２１は指定ページング・アルゴリズムを実行し、メッセージ配信領域を当初の目標バッチ・サーバの近辺に在る全 バッチ・サーバへ展開する。この例では、バッチ・サーバ（ＢＳ-Ｒ２２）２３２とバッチ・サーバ（ＢＳ-Ｒ２３）２３４とが存在する。バッチ・サーバ（ＢＳ-Ｒ２２）２３２はメッセージを旨く配信し、肯定応答を受信する。上記肯定応答は配布サーバ（ＤＳ）２２１及びトランザクション・サーバ（ＸＳ）２２０へ転送される。配布サーバ（ＤＳ）２２１はユーザ・エージェント（ＵＡ-Ｒ２）２１６を更新し、その結果、それが受取人（Ｒ2）２０４の現在位置情報を反映するようになる。上記配布サーバとユーザエージェントとの間の対話を介して、ワイヤレス メッセージ通信装置の大凡の位置が修得され、且つ、指定ページング・アルゴリズムが実行される。
【００９４】
このとき、全受取人へのメッセージの配信が完了し、トランザクションがオープンする。
【００９５】
図８は上記で生成されたメッセージに対する応答に関するフローを示す。該応答フローは高いレベルでメッセージ発信フローと対称である。この例では、受取人（Ｒ）２４０が応答（ＲＥＰＬＹ）を生成し、この応答（ＲＥＰＬＹ）がバッチ・サーバ（ＢＳ-Ｒ）２４２に受信される。上記応答は先の場合と同様にコード化メッセージであり、そのコード化メッセージを当初のメッセージと関連付けるための識別子を持つ。バッチ・サーバ（ＢＳ-Ｒ）２４２はメッセージに関わる情報をキャッシュ・メモリに保存して、有限の期間の間配信する。もし上記応答がその時間枠以内にバッチ・サーバ（ＢＳ-Ｒ）２４２で受信されると、バッチ・サーバ（ＢＳ-Ｒ）２４２はローカル識別子から完全なメッセージ識別コード、トランザクション識別コード及びその他の識別コードを判定することが可能である。もし情報がキャッシュ・メモリから既に除去されているか、或いはワイヤレス・メッセージ通信装置がその応答を送信する前に異なるバッチ・サーバ領域へ移されている場合は、バッチ・サーバ（ＢＳ-Ｒ）２４２は上記応答を送信している上記ワイヤレス・取り出しメッセージ通信装置のユーザエージェントからの情報を取り出さなければならない。
【００９６】
上記メッセージ発信の場合における如く、上記バッチ・サーバ（ＢＳ-Ｒ）２４２は応答側装置のユーザ・エージェント（ＵＡ-Ｒ）２４６のユーザエージェントと交信するメッセージ゛通信サーバ（ＭＳ）２４４へメッセージを転送する。ユーザエージェント（ＵＡ-Ｒ）２４６は応答を展開し、メッセージをメッセージ゛通信サーバ（ＭＳ）２４４へ返信する。メッセージ゛通信サーバ（ＭＳ）２４４は続いてトランザクション・サーバ（ＸＳ）２４８と交信してトランザクション・サーバ（ＸＳ）２４８に応答の生成が完了していることを知らせる。もし上記トランザクションが依然としてオープンしており、更に応答が依然として受け入れられつつある場合は、この例での場合の如くトランザクション・サーバ（ＸＳ）２４８がメッセージ゛通信サーバ（ＭＳ）２４４に対して応答の配信を継続するように指図する。上記応答配信フローの残りの部分は上記メッセージ配信フローと同様である。即ち、応答を受信している装置のユーザ・エージェント（ＵＡ-Ｒ）２４６が応答の配信先を判定するように交信が行われ、上記応答は配信目的で配布サーバ（ＤＳ）２５０へ送信される。
【００９７】
上記応答に対する肯定応答が配布サーバ（ＤＳ）２５０で受信されると、該肯定応答はトランザクション・サーバ（ＸＳ）２４８へ転送される。
【００９８】
本発明による双方向ワイヤレス・メッセージ通信システムは上述の図示の例以外にも広く使用可能である。例えば、それはタスク指名プログラム（dispatcher）がタスクを割り当てるために一組の受取人へメッセージを送信することが可能な個所をタスク指名する助けになる。例えば、もし停電が起きた場合に、保守用監視プログラムが全交代勤務者へメッセージ を送信することが可能である。メッセージ受取人はそれらの利用可能性を示すメッセージを受信して応答する。上記保守用監視プログラムは、その結果グループのうちの１以上のメンバーにジョブを割り当てることが可能である。
【００９９】
更に、本双方向メッセージ通信システムは、ネットワークを基盤とする予定表サーバにより加入者 ユーザ・エージェントの力を借りてリマインダー及びアラームを生成する予定表残余報知サービスとして使用可能である。本メッセージ通信装置は携帯可能であり、メッセージをページャや電子メール装置及び他のメッセージ通信装置へ配信することができる。上記予定表はある程度「アラーム」として作用し、予定された面会約束、記念日及び重要な日にちをいつでもユーザに知らせる。予約は上記予定表にユーザエージェントの一部として入力することが可能である。
【０１００】
更に、本システム は救急信号及び遭難（ＳＯＳ）メッセージの送信のために使用することができる。救急信号システムでは、遭難者が遭難（ＳＯＳ）メッセージを送信することができる。このメッセージは救急指揮センターへ転送される。上記回線網は位置に基づくサービス・システムを使用しているメッセージの送信者が居る位置を示すことが可能である。救急指揮センターはメッセージを遭難者へ送信し、照会メッセージを使用してそれらの状態の当初の評価を実行する。例えば、「怪我をしていますか」、「出血していますか」、或いは、「動けますか」のようなメッセージを応答選択肢と共に送信することができる。上記当初の評価から収集された応答は適切な救急応答ユニットをタスク指名するのに極めて有益となり得るであろう。
【０１０１】
先に述べたような別々の双方向メッセージ・マルチキャストを介してタスク指名を終了させると、「救助隊が向かっています」、または、「次のブロックで救急隊員と会って下さい」のような肯定応答を緊急救助を求めている遭難者へ復路中継可能になる。
【０１０２】
加入者のプロフィールに依存して、双方向メッセージ通信を介する追跡通知を加入者のグループ構成員へ送信することが可能である。
【０１０３】
このサービスは本双方向メッセージ通信システムの信頼性、双方向性、マルチキャスト及びトランザクション・サポートを利用する。
【０１０４】
更に、メッセージは或る位置に居る加入者へ宛てて送信されるようにすることが可能である。例えば、もしニュー・ヨークの列車が運行していない場合、ニュー・ヨーク中の人々にメッセージが送信される可能性が有る。このサービスはそれが位置に依存することを除いて、現行の単純な ページング・サービスと同等である。
【０１０５】
図１４、１５ａ、１５ｂには、セルラーシステムの基本を理解できる標準に基づいた従来の双方向無線セルラーメッセージ通信システムを示す。図１６、１７、１８は、セルラーシステムに関連した本発明のサーバとユーザエージェントの利用を示す。
【０１０６】
図１４において、セルラーシステム３００は、基地局と移動体メッセージ通信エンティティーの間でＩＳ−１３６無線インタフェースを、及びＩＳ−４１Ｃ網ノードインタフェースを用いる。このＩＳ−１３６無線インタフェースはディジタルセルラー無線インタフェース規格であり、移動登録、呼出しを配信するためのページング、呼出し発信、ハンドオフ、電話サービス。メッセージ交換等の機能をメッセージ通信サービスの一部として提供する。ＩＳ−４１Ｃ網ノードインタフェースは、セルラー移動体交換局、移動管理に用いる様々なデータベース、メッセージ通信局３０２の間で動作する網プロトコルである。
【０１０７】
図１４において、セルラーメッセージ通信システムは、従来のセルラー・ネットワークで一般的である、ホーム位置レジスタ３０４（ＨＬＲ）、ビジター位置レジスタ３０６（ＶＬＲ）、移動体交換局３０８（ＭＳＣ）、基地局３１０（ＢＳ）を有する。このシステムでは、メッセージ通信エージェント３１２（短メッセージ通信エージェント又はエンティティー（ＳＭＥ）とも呼ばれる）は、メッセージ通信局３０２（ＭＣ）へのメッセージを生成する。このメッセージは、所望の宛先に対応するメッセージ経路アドレスを受信した後、更に配信するために移動体交換局３０８にへと転送される。この所望の宛先は通常、移動体メッセージ通信エンティティー３１４であり、これは図でＭＳ−ＳＭＥ３１４として示した双方向ページャ又は同様の装置であってもよい。
【０１０８】
ＩＳ−１３６は、約４２０のチャネルをサポートし、これらのサブセットはセルラーシステムの各セルで再利用される。各チャネルが４８.６ｋｂｐｓのトラフィックをサポートできる。システムのチャネルの多数は、音声会話に用いられる。残りのチャネルは、ディジタル制御チャネル（ＤＣＣＨ）をサポートするために用いられる。各移動局は、制御情報と短メッセージをセルラー基板局と交換するＤＣＣＨを獲得する。
【０１０９】
ＤＣＣＨは３つの前方向チャネル（ダウンリンク）と１つの逆方向チャネル（アップリンク）に分けられる。この３つの前方向チャネルは、ブロードキャスト制御チャネル（ＢＣＣＨ）、共有制御帰還チャネル（ＳＣＦ）、短メッセージ通信／ページング／アクセス応答チャネル（ＳＰＡＣＨ）である。ＢＣＣＨは３つの制御サブチャネルにさらに分けられ、その２つはシステム情報のブロードキャストに使われ、その１つは、短メッセージ通信サービスブロードキャスト制御チャネル（Ｓ−ＢＣＣＨ）と呼ばれ、メッセージ通信サービスの一部としてブロードキャストメッセージを送るために確保される。ＳＣＦは移動局メディアアクセス手順をサポートするためにリンク層ステータス情報を与えるために用いられる。ＳＰＡＣＨは、名前でわかるように、短メッセージ通信サービスの一部としてメッセージを、電気通信サービスにおける呼出し配信の一部としてページを、及び資源割り当てを配信するのに用いられる。
【０１１０】
逆方向チャネルはランダムアクセス制御チャネル（ＲＡＣＨ）と呼ばれる。このチャネルは、移動局により使われ、制御メッセージ又は短メッセージ通信サービスの一部であるメッセージをセルラー基地局に送る。このチャネルのリンク層帰還がＳＣＦ上に備えられる。
【０１１１】
図１４には、ＩＳ−１３６／ＩＳ４１Ｃに基づいたメッセージ通信システムのアーキテクチャを示す。基地局３１０と移動体交換局３０８（ＭＳＣ）は標準的なセルラー電話網と同様な能力で動作する。基地局３１０はＩＳ−１３６プロトコルを着信する。ホーム位置レジスタ３０４（ＨＬＲ）は、各移動体メッセージ通信エンティティー又は他の移動局に対する恒久的なプロフィールと、及び各エンティティーにサーブする現在のビジター位置レジスタ３０６（ＶＬＲ）へのポインタを記憶する。ビジター位置レジスタ３０６は、いかなる移動局又は移動体メッセージ通信エンティティーのプロフィールの一時的なコピーと、及び移動局が現在登録されている移動体交換局３０８へのポインタを記憶する。メッセージ通信局は、他のエンティティーの活動を調整するメッセージ通信システムの中核である。
【０１１２】
図１５ａ、１５ｂは、ＩＳ−１３６ベースの移動局へのメッセージ配信のフローを示す。呼出しを英字の大文字で示し、応答を小文字で示した。太字で示したメッセージはＩＳ−１３６メッセージであり、イタリック体で示したものはＩＳ−４１Ｃメッセージである。通常の字体のものはＡインタフェースと呼ばれるベンダーが指定するインタフェースを表すメッセージである。図１５ａでは、移動体メッセージ通信エンティティー３１４は、おそらくパワーオンにより登録する。ビジター位置レジスタ３０６は、REGNOTメッセージを受信すると、サーブしている移動体交換局３０８へのポインタを記憶する。ビジター位置レジスタ３０６はこのメッセージをビジター位置３０６へのポインタを記憶するホーム位置レジスタ３０４へ転送する。
【０１１３】
後において、図１５ｂに示すように、固定された端点が、メッセージをメッセージ通信エージェント３１２（ＳＭＤＰＰ）に送る。このメッセージはメッセージ通信局３０２により受信され、これはホーム位置レジスタ３４に問い合わせて移動局（ＳＭＳＲＥＱ又は移動体メッセージ通信エンティティー３１４）の位置を決める。これメッセージは、宛先メッセージ通信エンティティーの移動体識別番号（ＭＩＮ）を含有する。この要求はサーブする移動体交換局３０８へと伝わり、これはメッセージ通信エンティティー（ＳＭＳＡＤＤＲパラメーター）にルーティングアドレスを割り当てる。このルーティングアドレスはメッセージ通信局３０２に返され、これはこのメッセージをサーブしている移動体交換局３０８に転送する。この移動体交換局３０８は、ＩＳ−１３６のメッセージ通信チャネル上を基地局３１０（ＳMＳ配信）経由でこのメッセージを配信する。
【０１１４】
また、移動体メッセージ通信エンティティー３１４はメッセージ交換を開始する。この場合、移動体メッセージ通信エンティティー３１４は、メッセージ通信局３０２にそのＩＳ−１３６ＲＡＣＨ経由でメッセージを送る。
【０１１５】
システム運用の様々なクラスは予想であってもよい。プライバシークラスと緊急クラスはメッセージ通信エンティティーにより解釈される。網はこれらのクラスを区別しない。この据え置かれたメッセージ配信は、移動体メッセージ通信エンティティー３１４をメッセージ配信のために位置決定できない場合（パワーオフされた場合、範囲外の場合等）に網により明示的に要求又は作動させられる。これらの場合、メッセージは、移動体メッセージ通信エンティティー３１４がアクティブになるときに配ばれる。メッセージを更新することは、送信者が前に送られたメッセージに上書きすることを可能にする。
【０１１６】
このシステムはいくつかの他の利点を有する。このシステムは位置管理のためにセルラー網インフラを用いて運営できる。メッセージ通信エンティティーが移動したときに登録し、ビジター位置レジスタとホーム位置レジスタを更新することを要求することにより、網はメッセージを正確にその加入者へ向けることができる。
【０１１７】
システムからの幾らかのエンティティーは、ＩＳ−１６／ＩＳ−４１Ｃセルラーシステムに加えて、改善したメッセージ通信容量を与えることができる。図１６に示すように、メッセージ通信サーバ機能はＩＳ−１３６／ＩＳ−４１Ｃメッセージ通信局３０２により行われる。これら両方のエンティティーはメッセージを受信し、いかなる他のサーバの呼出しも調整し、そして送ることができる別のエンティティーへのメッセージを転送する。
【０１１８】
また、配布サーバ３２０の機能は図１６では別々のエンティティーとして示してあるが、メッセージ通信局で包括される。ＩＳ−１３６０８４ＩＣシステムでは、メッセージ通信局３０２は、ホーム位置レジスタ３０４との相互作用を通して宛先メッセージ通信装置の位置を決め、そしてメッセージを転送する。代わりに、この機能は、図１６に示すように外部の配布サーバ３２０により同様の方法で行える。この場合、メッセージ通信局３０２はメッセージの受取りにより引き起こされたいかなるサービス（例えば、据え置かれた配信）をも呼び出し、そして、メッセージを送らなければならない配布サーバ３２０にメッセージを送る。配布サーバ３２０はホーム位置レジスタ３０４と相互作用して、宛先移動体メッセージ通信エンティティー３１４の位置を決める。
【０１１９】
ユーザエージェント機能はＩＳ−１３６／ＩＳ−４１Ｃシステムには含められていない。このシステムにユーザエージェント３２２を加えることにより、メッセージ展開が網の中で行われる。これは網の中において短い符号化メッセージを可能にして、無線インタフェースの資源を節約できる。また、メッセージには変数及び選択を含有する。また、ユーザエージェントはメッセージスクリーニングのような付加価値サービスを与えるために用いられる。ＩＳ−１３６／ＩＳ−４１Ｃシステムは位置情報を記録するためにホーム位置レジスタ３０４及びビジター位置レジスタ３０６を用いるが、ユーザエージェントの位置機能はこのシステムでは必要とされない。
【０１２０】
トランザクション・サーバ機能は、ＩＳ−１３６／ＩＳ−４１Ｃには含まれていない。このシステムにトランザクション・サーバ３２４を加えることにより、付加価値トランザクションサービスをセルラーメッセージ通信システムでサポートできる。これらはシステムがサポートしたトランザクションサービスの全てを含む。
【０１２１】
もしユーザエージェントとトランザクション・サーバがシステムに加えられれば、メッセージ通信局３０２での手順を変更しなくてはならない。メッセージ通信局３０２は到来メッセージ要求をユーザエージェントに転送しなくてはならず、いつトランザクションサービスが要求されるかを認識しなくてはならない。これらの付加はセルラー標準には違反しない。付加価値サーバはメッセージ通信局３０２の付属プロセッサとして実装してもよく、遠隔プロセッサとして実装してもよい。前者の場合は、メッセージ通信局３０２の手順だけを変更すればすみ、外部のメッセージは生成されない。後者の場合は、メッセージ通信局と遠隔プロセッサの間の動作を定められなくてはならない。今日の多くの電気通信サービスでみられるように、これらの動作は標準であるトランザクション能力アプリケーションパート（ＴＣＡＰ）のようなシグナリングシステム７番プロトコルを用いて呼び出すことができる。
【０１２２】
図１７、１８は、本発明のメッセージ通信システムを用いたときのメッセージ配信フローを示す。
【０１２３】
簡明さのために新規の符号を用いた。２つの移動体メッセージ通信エンティティー（ＭＳ−ＳＭＥ）が用いられる。左から右へと説明すると、各ブロックは、第１移動体メッセージ通信エンティティー（ＭＳ−ＳＭＥ）４００、基地局（ＢＳ）４０２、移動体交換局（ＭＳＣ）４０４、ビジター位置レジスタ（ＶＬＲ）４０６、送信者ホーム位置レジスタ／ユーザエージェント（ＨＬＲ−Ｒ／ＵＡ−Ｓ）４０８、受取人ホーム位置レジスタ／ユーザエージェント（ＨＬＲ−Ｒ／ＵＡ−Ｒ）４１０、トランザクション・サーバ（ＴＸ）４１２、メッセージ通信局（ＭＣ）４１４、配布サーバ（ＤＳ）４１６、第２移動体メッセージ通信エンティティー（ＭＳ−ＳＭＥ）４１８を表す。図１７、１８のフローと図１５ａと１５ｂのフローの主要な相違を以下に詳しく述べる。登録プロセスのようなメッセージフローの他の部分は類似している。
【０１２４】
図１７は、登録プロセスを示し、移動体メッセージ通信エンティティー４００の登録フローが図１５ａで表わした登録に類似していることを示す。登録はホーム位置レジスタ／ユーザエージェント４０８、４１０として定められた対応するユーザエージェントで起こる。
【０１２５】
図１８には、登録後のメッセージ通信フローを示す。第１符号化メッセージＳＭＤＰＰが移動体メッセージ通信エンティティー４１８からメッセージ通信局４１４へと送られる。このメッセージは、後のメッセージ展開が網で起こるように符号化され、そして、確認（アクノーレッジ）が返送される。前の図１５ｂの例のように受取人のホーム位置レジスタへ行く代わりに、このメッセージは送信側のＨＬＲ−Ｓ／ＵＡ−Ｓ４０８に転送される。このＨＬＲ−Ｓ／ＵＡ−Ｓ４０８では、メッセージ展開が起こり、メッセージはメッセージ通信局４１４に戻され、そして受取人のＨＬＲ−Ｒ／ＵＡ−Ｒ４１０に戻される。受取人のユーザエージェントはフィルタリングをしたり、新規のフォーマットを要求したり、又は位置情報を与えることができる。ユーザ情報は現在のシステムにおけるものと同様にビジター位置レジスタ４０６をに投ずることができ、又はこの例に示すように迂回できる。ホーム位置レジスタは位置情報を与えることができる。メッセージはメッセージ通信局４１４に転送される。
【０１２６】
このメッセージは次にトランザクション・サーバ４１２に転送され、トランザクションを広げる。このトランザクションは次に、メッセージ通信局４１４へ戻され、そして、ディレクテッド・ページング・アルゴリズムを行う配布サーバ４１６に送られる。ここでのメッセージフローは、ＳＭＤＰＰの前の例と、配布サーバへ逆戻りする確認に非常に類似している。
【０１２７】
本発明のメッセージ通信システムは多くの利点を有する。ユーザエージェントにおいてメッセージ通信展開が可能である。さらに、ユーザエージェントはメッセージをフィルタにかけ、他の機能を行うことができる。また、トランザクションサポートがセルラー・ネットワークの中でカレントであってもよい。システムは方向性ページングを可能にし、方向性ページング機能を用いて領域を変えることができ、必要とする登録の数を減らすことができる。交換領域が変えられたときに常に登録することは必要ではなく、ビジター位置レジスタの必要性はない。配布サーバも方向性ページングを行うことができる。
【０１２８】
各サーバも所望のように実装できる。方向性ページングアルゴリズムが走っていなければ、配布サーバは必要ない。もしメッセージ展開が必要なければ、ユーザエージェントは必要ではない。これはシステムに更なる柔軟性を与える。全てのサーバは柔軟性がある。
【０１２９】
【発明の効果】
以上説明したように、本発明の双方向ワイヤレスメッセージ通信網のユーザエージェントの中に複数のメッセージが記憶される。このメッセージは双方向メッセージ通信サービスの加入者により選択されたものに対応する。このメッセージは符号化され、制御情報を含む。発信メッセージ転送コードが加入者の双方向メッセージ通信装置から双方向メッセージ通信網へと送信される。この発信メッセージ転送コードは、メッセージ番号と、メッセージに適応されるカスタマイズを指定する修正子を含む。次に、この発信メッセージ転送コードは、ユーザエージェントの中で展開され、この展開されたメッセージは、発信メッセージ転送コードの内容に基づいて所望の宛先へ転送される。また、メッセージを少なくとも１つの制御タグで符号化することもでき、さらに、制御が適用される最初の部分と最後の部分を指定する対の制御タグを用いて符号化することもできる。このようにして、双方向ワイヤレスメッセージ通信システムにおいて、メッセージの配信及び展開に対する卓越した制御を可能にし、既存のワイヤレス・ページング・システムの能力限界の問題を解決することができる。
【図面の簡単な説明】
【図１】  公衆交換電話網、データ・ネットワーク、セルラー・ネットワーク及び双方向メッセージ通信装置と共同して使用される、本発明の双方向ワイヤレス・メッセージ通信システムのシステム及び方法の該略ブロック図である。
【図２】  本発明の双方向ワイヤレス・メッセージ通信システムの別の該略図である。
【図３】  種々のユーザエージェント、メッセージ通信網及び相違する加入者の間で転送することが可能なメッセージの例を示す双方向ワイヤレス・メッセージ通信システムのより詳細な図である。
【図４】  本発明の双方向ワイヤレス・メッセージ通信システムのネットワーク・アーキテクチャを示す該略図である。
【図５】  本発明の双方向ワイヤレス・メッセージ通信システムの制御アーキテクチャの一例を示す図である。
【図６】  本発明の双方向ワイヤレス・メッセージ通信システムのメッセージ通信装置とバッチ・サーバとの間で使用されるプロトコル・アーキテクチャの一例を示すブロック図である。
【図７】  本発明の双方向ワイヤレス・メッセージ通信システムで使用される新たなメッセージ配信のためのプロトコル・フローの一例を示す詳細フロー・チャートである。
【図８】  本発明の双方向ワイヤレス・メッセージ通信システムにおける応答配信の一例を示す詳細フロー・チャートである。
【図９】  本発明の双方向ワイヤレス・メッセージ通信システムに使用することができる双方向ページャの形態の双方向メッセージ通信装置の該略図である。
【図１０】  本発明の双方向ワイヤレス・メッセージ通信システムに使用することができるバッチ・サーバの構成の一例の該略図である。
【図１１】  本発明の双方向ワイヤレス・メッセージ通信システムに使用することができるユーザ・エージェントの機能部分の一例を示す該略図である。
【図１２】  図１２は本発明の双方向ワイヤレス・メッセージ通信システムに使用することができるトランザクション・サーバの様々な機能の例を示す該略図である。
（ａ）会話管理装置のオープン状態とクローズ状態とを示す図である。
（ｂ）トランザクション・サーバの受取人の状態に対する 状態遷移図である。
【図１３】  模擬キーボードがメッセージを入力するために表示される双方向メッセージ通信装置の該略図を示す図である。
【図１４】  標準により定められた双方向メッセージ通信セルラーシステムの様々な構成部分の簡略ブロック図を示す。
【図１５】（ａ）従来のシステムにおける移動体メッセージ通信エンティティーの登録の際の基本的なメッセージのフローを示す。
（ｂ）移動体メッセージ通信エンティティーへのメッセージ配信のフロー・チャートを示す。
【図１６】本発明のユーザエージェントとトランザクション・配布サーバを有する双方向メッセージ通信セルラーシステムの簡略ブロック図を示す。
【図１７】本発明のシステムにおける基本的なメッセージフローの例を示す。
【図１８】本発明の移動体メッセージ通信エンティティーへのメッセージ配信の基本的なメッセージフローの例を示す。
【符号の説明】
１０  双方向ワイヤレス・メッセージ通信システム
１１  双方向メッセージ通信装置（ページャ）
１２  ユーザエージェント
１４  双方向メッセージ通信網
１６  公衆交換電話網
１８  ネットワーク・アクセス・スイッチ
２０  第1通信結合
２２  電話機
２４  セルラー・ネットワーク
２６  データ・ネットワーク
２７  電子メール・メッセージ
２７a  ワールド・ワイド・ウエブ
２８  第２通信結合
３０  回線網制御交換局（ＮＣＰ）
３２  データベース
３６  第３通信結合
３８  第４通信結合
４０  加入者
４２  第１通信チャネル
４３  第２通信戻りチャネル
４４  第２双方向メッセージ通信装置
５０  ユーザエージェント（ＵＡ Ｔ）
５０a  ページャ
５２  ユーザエージェント（ＵＡ Ｄ）
５４  ユーザエージェント（ＵＡ Ｍ）
５６  ユーザエージェント（ＵＡ Ｐ）
５７a  メッセージ配信チャネル
５７b  メッセージ配信チャネル
５７c  メッセージ配信チャネル
５８  ページャ
６０  コンピュータ
６２  電話機
６４a  メッセージ戻り通信チャネル
６４b  メッセージ戻り通信チャネル
６４c  メッセージ戻り通信チャネル
６９  模擬キーボード
７０  定型部分
７２  拡張可能部分
７２a  ユーザエージェント・プログラム・モジュール
７２b  ユーザエージェント・プログラム・モジュール
７３  データベース
７３a  データ入力可能な箇所
７４  ソフトウエア
７６  基地局
７８  クラスタ
８０  ドメイン
８２  セル
８４  ボタン
８６  ボタン
８８  ＬＣＤ画面
１００  バッチ・サーバ
１０２  メッセージ・レイヤ・プロトコル（ＭＬＰ）
１０４  無線リンク特殊収束サブレイヤ（ＡＳＣＳ）
１０６  リンク層プロトコル（ＬＩＮＫ1）
１０８  リンク層プロトコル（ＬＩＮＫ2）
１０９  ワイヤライン・サイド（ネットワーク）
１０９a  ワイヤレス（加入者及び基地局）サイド
１１０  無応答メッセージ待ち行列（ＵＭＱ）
１１２  肯定応答受けメッセージ待ち行列（ＡＭＱ）
１１４  メッセージ゛通信サーバ
１１６  配布サーバ
１１８  トランザクション・サーバ
１２０  会話管理装置
１２２  トランザクション・マネージャ
１２４  オープン
１２６  クローズ
１２８  受取人
１３０  送信
１３２  受信
１３４  受信
１３６  終了
２００  加入者（Ｓ）
２０２  受取人（Ｒ1）
２０４  受取人（Ｒ２）
２０６  受取人（Ｒ３）
２０８  供給側バッチ・サーバ（ＢＳ-Ｓ）
２１０  メッセージ゛通信サーバ（ＭＳ）
２１２  メッセージ発信者のユーザエージェント（ＵＡ-Ｓ）
２１４  ユーザエージェント（ＵＡ-Ｒ１）
２１６  ユーザエージェント（ＵＡ-Ｒ２）
２１８  ユーザエージェント（ＵＡ-Ｒ３）
２２０  トランザクション・サーバ（ＸＳ）
２２１  配布サーバ（ＤＳ）
２２２  バッチ・サーバ（ＢＳ-Ｒ１）
２２４  メッセージ蓄積サーバ（ＭＳＳ）
２３０  バッチ・サーバ（ＢＳ-Ｒ２１）
２３２  バッチ・サーバ（ＢＳ-Ｒ２２）
２３４  バッチ・サーバ（ＢＳ-Ｒ２３）
２４０  受取人（Ｒ）
２４２  バッチ・サーバ（ＢＳ-Ｒ）
２４４  メッセージ゛通信サーバ（ＭＳ）
２４６  ユーザエージェント（ＵＡ-Ｒ）
２４８  トランザクション・サーバ（ＸＳ）
２５０  配布サーバ（ＤＳ）
３００  セルラーシステム
３０２  メッセージ通信局
３０４  ホーム位置レジスタ
３０６  ビジター位置レジスタ
３０８  移動体交換局
３１０  基地局
３１２  メッセージ通信エージェント
３１４  移動体メッセージ通信エンティティー
３２０  配布サーバ
３２２  ユーザエージェント
３２４  トランザクション・サーバ
４００  第１移動体メッセージ通信エンティティー（ＭＳ−ＳＭＥ）
４０２  基地局（ＢＳ）
４０４  移動体交換局（ＭＳＣ）
４０６  ビジター位置レジスタ（ＶＬＲ）
４０８  送信者ホーム位置レジスタ／ユーザエージェント（ＨＬＲ−Ｒ／ＵＡ−Ｓ）
４１０  受取人ホーム位置レジスタ／ユーザエージェント（ＨＬＲ−Ｒ／ＵＡ−Ｒ）
４１２  トランザクションサーバ（ＴＸ）
４１４  メッセージ通信局（ＭＣ）
４１６  配布サーバ
４１８  第２移動体メッセージ通信エンティティー（ＭＳ−ＳＭＥ）
【図１】
0003756434.tif 000002
【図２】
0003756434.tif 000003
【図３】
0003756434.tif 000004
【図４】
0003756434.tif 000005
【図５】
0003756434.tif 000006
【図６】
0003756434.tif 000007
【図７】
0003756434.tif 000008
【図８】
0003756434.tif 000009
【図９】
0003756434.tif 000010
【図１０】
0003756434.tif 000011
【図１１】
0003756434.tif 000012
【図１２】
0003756434.tif 000013
【図１３】
0003756434.tif 000014
【図１４】
0003756434.tif 000015
【図１５】
0003756434.tif 000016
【図１６】
0003756434.tif 000017
【図１７】
0003756434.tif 000018
【図１８】
0003756434.tif 000019